【事件の表示】
　特願２０１３−５５０８９８「皮膚用化粧料」拒絶査定不服審判事件〔平成２４年８月９日国際公開、ＷＯ２０１２／１０４２４０、平成２６年７月１０日国内公表、特表２０１４−５１６３３７〕について、次のとおり審決する。
【結　論】
　本件審判の請求は、成り立たない。
【理　由】
第１　手続の経緯
　本願は、平成２４年１月３０日（パリ条約による優先権主張　平成２３（２０１１）年１月３１日、独国（ＤＥ）及び同年２月２１日、米国（ＵＳ））を国際出願日とする特許出願であって、原審における拒絶査定に対して、平成２８年１０月１９日に拒絶査定不服審判の請求がなされると同時に手続補正書が提出され、その後、当合議体において、平成２９年１２月１９日付けで拒絶理由が通知され、平成３０年３月２０日受付けで意見書及び手続補正書が提出されたものである。
第２　本願発明
　本願の請求項１〜８に係る発明は、平成３０年３月２０日受付けの手続補正書の特許請求の範囲の請求項１〜８に記載された事項により特定されるとおりのものと認められ、その請求項１に係る発明（以下、「本願発明」という。）は次のとおりのものである。
「【請求項１】
以下の活性成分から成り、セルライト、ストレッチマーク、老化の兆候、しわ、及びクモ状静脈における化粧目的のために使用される皮膚用化粧料であって、下記５−α−還元酵素阻害剤が、ノコギリヤシの果実（Ｓｅｒｅｎｏａ　ｒｅｐｅｎｓ，ｓｙｎ．Ｓａｂａｌ　ｓｅｒｒｕｌａｔａ）の抽出物、イラクサの根（Ｕｒｔｉｃａ　ｄｉｏｉｃａ）、アフリカ梅（Ｐｙｇｅｕｍ　ａｆｒｉｃａｎｉｕｍ）の樹皮抽出物、カボチャの種（Ｃｕｃｕｒｂｉｔａ　ｐｅｐｏ　ｓｅｅｄ）の抽出物及びフィナステリドから成る群から選択され、該化粧料中に酸化防止剤が０．２重量％〜２．５重量％の濃度で存在する皮膚用化粧料。
　ａ１）アロマターゼ阻害剤（但し、５−α−還元酵素阻害剤及び酸化防止剤を除く。）、
　ａ２）５−α−還元酵素阻害剤、
　ｂ）酸化防止剤、及び
　ｃ）ヒアルロン酸」
第３　拒絶理由の概要
　当合議体が平成２９年１２月１９日付けで通知した拒絶理由は、本件出願の請求項１に係る発明は、その出願前に日本国内又は外国において、頒布された下記の刊行物２〜３に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、という理由（理由３）を含むものである。
刊行物２：特表２００４−５０２６３４号公報
刊行物３：特表２００１−５００８４１号公報
第４　当合議体の判断
１　刊行物等の記載事項
（１）本願優先日前の平成１６（２００４）年１月２９日に頒布された刊行物２（以下、「引用例２」という。）には、次の事項が記載されている。なお、以下、下線は当審で付したものである。
（２ａ）「【請求項１】
コラーゲンの安定化、増加および／または回復のための、エストロゲンの産出および／または効果を阻害する基質、または該基質を含む組成物の使用
　・・・
【請求項３】
前記基質はアロマターゼ阻害剤であることを特徴とする、請求項１に記載の使用
　・・・
【請求項８】
ジヒドロテストステロンの産出および／または効果の阻害を、同時に、または追加で行うことを特徴とする、上記請求項のいずれか１項に記載の使用
【請求項９】
アロマターゼ阻害剤を、５−アルファリレダクターゼ阻害剤と結合することを特徴とする、請求項８に記載の使用
　・・・
【請求項１１】
局所適用を行うことを特徴とする、上記請求項のいずれか１項に記載の使用
【請求項１２】
化粧用として使用することを特徴とする、上記請求項のいずれか１項に記載の使用
【請求項１３】
以下の体領域、すなわち皮膚、靱帯、筋膜、腱、軟骨、骨、象牙質および動脈、静脈、尿道の管壁、の１つまたはそれ以上におけるコラーゲンの安定化、増加および／または回復のために使用することを特徴とする、上記請求項のいずれか１項に記載の使用
　・・・
【請求項２１】
皮膚のしわおよび／または溝、並びに上部皮膚の無緊張症の化粧処置用である、エストロゲンの産出および／または効果を阻害する基質、または該基質を含む組成物の使用
【請求項２２】
皮膚に対する日光の曝露を改善する、エストロゲンの産出および／または効果を阻害する基質、または該基質を含む組成物の使用
　・・・
【請求項２４】
局所適用のための化粧用組成物であって、前記組成物が、エストロゲンの産出および／または効果、同時に、ジヒドロテストステロンの産出および／または効果を阻害するような、１つまたはそれ以上の基質（類）からなることを特徴とする、局所適用のための化粧用組成物
【請求項２５】
アロマターゼ阻害剤を、５−アルファ−リダクターゼ阻害剤と結合することを特徴とする、請求項２４に記載の化粧用組成物
【請求項２６】
前記組成物は、アロマターゼおよび５−アルファ−リダクターゼにおける阻害効果を両方有する基質からなることを特徴とする、請求項２４に記載の化粧用組成物。」
（２ｂ）「【００１２】
【発明を解決するための手段】
この概念で、本発明は、基本的に新規なアプローチに従う。本概念の中心的問題は、そのために特に好適である基質によって性ホルモンの末梢局在、組織−または器官−細胞特異的産出における標的化した介入であり、すなわち本質的にエストロゲンの産出および／または効果を阻害するような基質である。
アロマターゼが、これに関連して鍵となる酵素であることが発見されたので、アロマターゼ阻害剤が、本発明において使用するための本発明の好ましく好適な基質として役に立つ
ジヒドロテストステロンの産出の同時の、または追加的な阻害がまた、特に皮膚に適用したときに、好ましく効果的であり得る
この目的を達するために、好ましくは５−アルファ−リダクターゼ阻害剤、しかしまたアルファ−レセプターブロッカーが企図される
（２ｃ）「【００１９】
さらに、これらは、局所的にエストロゲンの生殖器外産出を阻害する可能性がある基質である。この目的を達成するために、（シトクローム−ｐ４５０）−アロマターゼのステロイド性および非ステロイド性阻害剤が企図される。アロマターゼは、副腎から由来し、血液を介して運ばれる、（デヒドロエピアンドロステロン（ＤＨＥＡ）およびアンドロステンジオンのような）前駆体分子のエストロゲンへの化学的変換を触媒する中心的酵素である。結果として、この酵素の阻害は、エストロゲン産出の局所ｉｎ　ｓｉｔｕ阻害を導く。
これらの活性の特定の有益な経路のために、アロマターゼ阻害剤は、本発明にしたがった使用の適用のために好ましい
【００２０】
アロマターゼ阻害剤の例には以下の基質が含まれる
ステロイド性アロマターゼ阻害剤：
４−ヒドロキシアンドロスト−４−エン−３，１７−ジオン（Ｆｏｒｍｅｓｔａｎ　ｕｎｄ　Ｌｅｎｔａｒｏｎ）
６−メチレン−アンドロストラ−１，４−ジエン−３，１７−ジオン（Ｅｘｅｍｅｓｔａｎ）
・・・」
（２ｄ）「【００４１】
性ホルモンの生殖器外、細胞産出または効果が、より特異的に、そしてよりよく適用できるようにするために、
エストロゲンの産出および／または効果の阻害に関して以上に記載した１つまたはそれ以上の基質を、ジヒドロテストステロンの産出および／または効果が追加的にまたは同時に阻害されるように、さらなる効果原理で混合してよい
このことは、５−アルファ−リダクターゼ阻害剤またはアルファ−レセプターブロッカーの使用によってもたらされ、そこで５−アルファ−リダクターゼ阻害剤の使用が特に好ましい
（２ｅ）「【００４２】
それぞれの型にしたがって区別した、５−アルファ−リダクターゼ阻害剤の例には、以下のものが含まれる
１型阻害剤：
　・・・
【００４３】
２型阻害剤：
ベンゾフェノン−およびインドールカルボン酸
Ｎ−ｔｅｒｔ−ブチル−３−オキソ−４−アザ−５α−アンドロスト−１−エン−１７−β−カルボキシアミド（
フィナステリド
二重阻害剤（１型および２型）：
　・・・
【００４４】
非ステロイド性阻害剤
　・・・
【００４５】
　・・・
【００４６】
ステロイド性阻害剤：
　・・・
【００４７】
　・・・
【００４８】
フィナステリド
　・・・が挙げられる。」
（２ｆ）「【００５０】
特に好適な基質として、アロマターゼおよび５−アルファ−リダクターゼにおける阻害効果を両方示しているものが企図される
【００５１】
本発明において、エストロゲンおよびジヒドロテストステロン両方の産出、または効果の同時の阻害が、主に皮膚への局所適用のため、および毛増殖の制御のために新規であり、意味深いことが明らかになったため、以下でさらに詳細に記述するように、本発明は、さらに局所組成物、すなわち皮膚へ適用すべきことが確定される組成物を提供し、組成物は、エストロゲンにおける産出および／または効果、同時にジヒドロテストステロンの産出および／または効果を阻害するように、１つまたはそれ以上の基質（類）を含む。係る組成物は、局所に適用する局所処方で、特に化粧用に適用可能である。この混合効果原理は、それぞれ、一方でエストロゲンの産出または効果を阻害する性質、他方でジヒドロテストステロンの産出または効果を阻害する性質を有する基質の組合せで得ることが可能であり、そこで、上述したそれぞれの機能を有する基質類が好適である。
制御性が改善されることから、５−アルファ−リダクターゼ阻害剤とのアロマターゼ阻害剤の組合せが、本発明において好ましい
（２ｇ）「【００７１】
皮膚の真皮におけるコラーゲンにプラス方向の影響を与えるために、記述した治療的基質（類）または組成物の局所添加のために適用するべき使用可能な基質に対して好適な処方、たとえば軟膏、クリーム、ゲル、エマルション（ローション）、粉末、油などが選択されてよい
この目的のために、組成物は、軟膏、クリーム、ゲル、エマルション、粉末または油などのような相当する処方のために典型的である添加物を含む
係る処方に関する典型的な添加物として、たとえば
抗酸化剤などが存在する
（２ｈ）「【００８８】
したがって、本発明のさらに有用な使用は、しわの形成の加速を遅延させるために、エストロゲンの産出または効果を阻害する基質の局所適用によって、少なくとも体の曝露部分を処置することである。このことが、夜間での局所処方でのような、日中に起こっている光または日光曝露の後の、「日光後」適用で好適に実施される。
すでに皮膚適用に関して記述された局所処方が好適であり、そこでアロマターゼ阻害剤、この場合特にダイズステロールおよびその類似体が、皮膚によって吸収される固有の能力のために再び好ましい
（２）本願優先日前の平成１３（２００１）年１月２３日に頒布された刊行物３（以下、「引用例３」という。）には、次の事項が記載されている。
（３ａ）「１．
エストロゲンの産生および（または）作用を阻害する１種または２種以上の物質からなる
局部に適用するための化粧用組成物
　・・・
３．
アロマターゼ阻害剤が含有されている
　・・・
７．
さらに経皮吸収促進剤が含有されている
（３ｂ）「エストロゲン阻害性有効成分を含有する本発明の化粧用組成物または本発明の化粧品が局部適用にきわめてよく適している別の理由は、存在しうる有効成分が概して容易に、またはさらにもっと容易に経皮吸収されるからである。
経皮吸収によりそれぞれの事例で問題がおきる場合、または経皮吸収量をより増加させたい場合、用いる化粧品にさらに経皮吸収促進剤を好ましく用いることができる
前記経皮吸収促進剤は既知のものである
好適な例はヒアルロン酸塩、ジメチルスルフォキシド（ＤＭＳＯ）などである
（３ｃ）「
局部に適用するために、この目的のため好適に使用される物質の処方（Ｆｏｒｍｕｌｉｅｒｕｎｇ）として、たとえば軟膏剤、クリーム剤、ゲル剤、乳剤（ローション剤）、散剤またはオイル剤（Ｏｌ）などを選択することができる
このために、化粧用組成物または化粧品は、軟膏剤、クリーム剤、ゲル剤、乳剤またはオイル剤として適切な処方に通常用いられる添加剤を含有する
前記処方のための通常の添加剤の具体例となる物質は
抗酸化剤などである
（３ｄ）「実施例３
　つぎの成分を混合し、クリーム剤を製造した。
　　　プロピレングリコール　　　　　　　　　　　　２５．０ｇ
　　　ミリスチン酸イソプロピル　　　　　　　　　　　６．０ｇ
　　　モノステアリン酸ソルビタン　　　　　　　　　　１．０ｇ
　　　ポリソルベート８０　　　　　　　　　　　　　　２．０ｇ
　　　セチルステアリルアルコール　　　　　　　　　　６．０ｇ
　　　ステアリルアルコール　　　　　　　　　　　　　２．０ｇ
　　　モノステアリン酸グリセリン　　　　　　　　　　１．０ｇ
　　　
ヒアルロン酸
　　　
アロマターゼ阻害作用を有する
　　　　
酸化された大豆グリシン
　　　精製水　　　　　　　　　　　　　　　　　　１００．０ｇにする
　　　　　　　　　　　　　　　　　　　　　　　　ための必要量」（１６頁下から８行〜１７頁６行）
（３）本願優先日当時に既に知られていた事項を示す、「特表２００８−５３７９６０号公報」（発明の名称：疎水性薬物のドラッグデリバリーシステムとその組成物。以下、「周知例ア」という。）には、次の事項が記載されている。
「【０１１１】
　・・・当技術分野においては、
５α‐レダクターゼの多くの天然阻害因子
ノコギリヤシ種の実から抽出されるノコギリパルメットに由来するカテキンである没食子酸エピガロカテキン）が周知であり
（４）本願優先日当時に既に知られていた事項を示す、「特開２００７−２３０８８８号公報」（発明の名称：ノコギリヤシ抽出物を含有する栄養補助食品及び発癌予防剤。以下、「周知例イ」という。）には、次の事項が記載されている。
「【０００２】
　・・・
ノコギリヤシ（Ｓｅｒｅｎｏａ　ｒｅｐｅｎｓ）
ノコギリヤシ抽出物は５−α−還元酵素を阻害する
（５）本願優先日当時に既に知られていた事項を示す、「特表２０１０−５１７９３８号公報」（発明の名称：抜け毛（脱毛）防止のための化合物と方法。以下、「周知例ウ」という。）には、次の事項が記載されている。
「【０００８】
　
ノコギリヤシ抽出油は
それが５α還元酵素
に対する効果的な抑制剤であることを証明した
（６）本願優先日当時に既に知られていた事項を示す、「化粧品ハンドブック、蔵多淑子他編、日光ケミカルズ株式会社他、平成８年１１月１日、４３０〜４３５、５９９〜６０９頁」（以下、「周知例エ」という。）には、次の事項が記載されている。
（エ１）「２．　酸化防止剤の作用機構
　
酸化防止剤はその酸化の連鎖反応の途中で生成した過酸化ラジカル（ＲＯＯ・）と反応し，不活性物質を形成し，連鎖反応を防止する役目をもっている
　酸化防止剤の作用機構は，次式で表すことができる．酸化防止剤ＡＨ２が遊離の過酸化ラジカル（ＲＯＯ・）に作用すると，
　　　ＲＯＯ・＋ＡＨ２→ＲＯＯＨ＋ＡＨ
　　　　２ＡＨ→ＡＨ２＋Ａ
あるいは，
　　　ＲＯＯ・＋ＡＨ→ＲＯＯＨ＋Ａ
となり，Ａはフリーラジカルではなく不活性であるから，連鎖反応は停止される．長期間安定化させるには，つぎつぎに生成される過酸化ラジカルと反応し，連鎖反応を停止しなければならないから，酸化防止剤の選択には効果の持続するものを選ぶことが必要である．」（４３０頁右欄下から９行〜４３５頁左欄９行）
（エ２）「２・２　経皮吸収促進剤の利用
　・・・
　
一般的な経皮吸収促進剤の例を表１０・２に示す
　・・・
　　　　表１０・２　経皮吸収促進剤の種類と作用　　　　
水溶性有機溶媒
　・・・
角質層の保湿
　ピロリドン類，
ヒアルロン酸
保湿作用
　・・・
非プロトン溶媒
　ジメチルホルムアミド，ジメチルスルホキシド，・・・
　・・・
　　　　　　　　　　　　　　　　　　　　　　　　　　　
（７）本願優先日当時に既に知られていた事項を示す、「特開平１０−７５３１号公報」（発明の名称：毛母細胞活性化増強剤。以下、「周知例オ」という。）には、次の事項が記載されている。
「【００２８】
上記保湿剤は、公知の保湿剤、例えば
ヒアルロン酸（ヒアルロン酸塩を包含する趣旨で用いる）
（８）本願優先日当時に既に知られていた事項を示す、「特開平３−３４９１９号公報」（発明の名称：浴用剤。以下、「周知例カ」という。）には、次の事項が記載されている。
「本発明の浴用剤に使用される
ヒアルロン酸及び／又はヒアルロン酸塩は
保湿効果が不足し
（９）本願優先日当時に既に知られていた事項を示す、「特開２０１０−２４１７６２号公報」（発明の名称：化粧料。以下、「周知例キ」という。）には、次の事項が記載されている。
「【０００９】
　
ヒアルロン酸は、真皮に多く含まれ、水分を保持する機能を有する
　・・・
【００３０】
　・・・
ヒアルロン酸は、ヒアルロン酸塩であってもよい
２　引用例２に記載された発明
（１）引用例２の上記（２ａ）の請求項１、３、８〜９、１１〜１３には、皮膚などにおけるコラーゲンの安定化、増加及び／又は回復のために、エストロゲンの産出及び／又は効果を阻害し、同時にジヒドロテストステロンの産出及び／又は効果を阻害する基質として、アロマターゼ阻害剤を５−アルファ−リダクターゼ阻害剤と結合して、局所適用する化粧用として使用することが記載されているといえる。
　そうすると、請求項２４は、エストロゲンの産出及び／又は効果と、同時に、ジヒドロテストステロンの産出及び／又は効果を阻害するような、１つ又はそれ以上の基質（類）からなる局所適用のための化粧用組成物であるところ、請求項２５に記載の「アロマターゼ阻害剤を、５−アルファ−リダクターゼ阻害剤と結合する」ものは、請求項２５が引用する請求項２４における「１つ又はそれ以上の基質（類）」を特定しているものといえる。
　ここで、引用例２の上記（２ｂ）、（２ｃ）、（２ｄ）及び（２ｆ）によれば、エストロゲンの産出及び／又は効果を阻害する基質と、ジヒドロテストステロンの産出及び／又は効果を阻害する基質は、それぞれ、アロマターゼ阻害剤と、５−アルファ−リダクターゼ阻害剤であって、それぞれの具体例が示されている。また、特に好適な基質としてこれらの阻害効果の両方を示すものの具体例も示されている。
　そして、上記（２ａ）の請求項２６では、請求項２５と同様に請求項２４を引用しつつ、アロマターゼ及び５−アルファ−リダクターゼにおける阻害効果を両方有する基質からなることを特定していることからみて、上記請求項２５における「アロマターゼ阻害剤を、５−アルファ−リダクターゼ阻害剤と結合する」ことは、アロマターゼ阻害剤と５−アルファ−リダクターゼ阻害剤が異なる物質であってそれらを組合せたものを意味しているといえる。
（２）また、引用例２の上記（２ａ）の請求項２１及び２２には、エストロゲンの産出及び／又は効果を阻害する基質を、皮膚のしわ及び／又は溝、並びに上部皮膚の無緊張症の化粧処置用として、又は皮膚に対する日光の曝露を改善するために使用することも記載されているから、エストロゲンの産出及び／又は効果を阻害する基質からなる請求項２４の局所適用のための化粧用組成物の用途には、皮膚のしわ及び／又は溝、並びに上部皮膚の無緊張症の化粧処置用として、又は皮膚に対する日光の曝露を改善するための用途が含まれているといえる。
（３）以上のことから、引用例２には、次の発明（以下、「引用発明」という。）が記載されているといえる。
「皮膚のしわ及び／又は溝、並びに上部皮膚の無緊張症の化粧処置用の、又は皮膚に対する日光の曝露を改善するための局所適用のための化粧用組成物であって、前記組成物が、エストロゲンの産出及び／又は効果を阻害し、同時に、ジヒドロテストステロンの産出及び／又は効果を阻害する、アロマターゼ阻害剤と５−アルファ−リダクターゼ阻害剤との組合せからなる、局所適用のための化粧用組成物。」
３　対比
　そこで、本願発明と引用発明とを対比する。
（１）本願発明には、「以下の活性成分から成り、・・・ａ１）アロマターゼ阻害剤（但し、５−α−還元酵素阻害剤及び酸化防止剤を除く。）、ａ２）５−α−還元酵素阻害剤、・・・」とあるところ、「除く」とあるのは、活性成分であるａ１）が、ａ２）とは異なるものであることを意図していると解される。このことは、平成３０年３月２０日受付の意見書に「（ｂ）請求項１において、“ａ）アロマターゼ阻害剤及び５−α−還元酵素阻害剤”を“ａ１）アロマターゼ阻害剤（但し、５−α−還元酵素阻害剤及び酸化防止剤を除く。）、ａ２）５−α−還元酵素阻害剤”に補正し、活性成分が別個の４成分であることを明確にしました。」とあることとも沿う。
　したがって、引用発明の「アロマターゼ阻害剤」は、本願発明の「ａ１）アロマターゼ阻害剤（但し、５−α−還元酵素阻害剤及び酸化防止剤を除く。）」に相当する。
　また、「５−アルファ−リダクターゼ」が「５−α−還元酵素」と同義であることは技術常識であるから、引用発明の「５−アルファ−リダクターゼ阻害剤」は、本願発明の「ａ２）５−α−還元酵素阻害剤」に相当する。
（２）本願発明は「セルライト、ストレッチマーク、老化の兆候、しわ、及びクモ状静脈における化粧目的のために使用される皮膚用化粧料」のように複数の用途について「及び」で記載しているため、本願発明の皮膚用化粧料は、これらの全ての用途を同時に対象としているかのようにも解されるが、本願明細書全体の記載及び技術常識に照らして、セルライト、ストレッチマーク、老化の兆候、しわ、又はクモ状静脈における化粧目的のために使用される皮膚用化粧料と解するのが自然である。
　そうすると、引用発明の化粧用組成物は、皮膚のしわも対象としているから、両発明は、化粧料の用途において一致しているといえる。
　したがって、引用発明の「皮膚のしわ及び／又は溝、並びに上部皮膚の無緊張症の化粧処置用の、又は皮膚に対する日光の曝露を改善するための局所適用のための化粧用組成物」は、本願発明の「セルライト、ストレッチマーク、老化の兆候、しわ、及びクモ状静脈における化粧目的のために使用される皮膚用化粧料」に相当する。
（３）以上のことから、両発明は、次の一致点及び相違点１〜２を有する。
一致点：
　「以下の活性成分から成り、セルライト、ストレッチマーク、老化の兆候、しわ、及びクモ状静脈における化粧目的のために使用される皮膚用化粧料。
　ａ１）アロマターゼ阻害剤（但し、５−α−還元酵素阻害剤及び酸化防止剤を除く。）、
　ａ２）５−α−還元酵素阻害剤」である点
相違点１：
　「ａ２）５−α−還元酵素阻害剤」について、本願発明は「ノコギリヤシの果実（Ｓｅｒｅｎｏａ　ｒｅｐｅｎｓ，ｓｙｎ．Ｓａｂａｌ　ｓｅｒｒｕｌａｔａ）の抽出物、イラクサの根（Ｕｒｔｉｃａ　ｄｉｏｉｃａ）、アフリカ梅（Ｐｙｇｅｕｍ　ａｆｒｉｃａｎｉｕｍ）の樹皮抽出物、カボチャの種（Ｃｕｃｕｒｂｉｔａ　ｐｅｐｏ　ｓｅｅｄ）の抽出物及びフィナステリドから成る群から選択」されると特定されているのに対し、引用発明はそのように特定されていない点
相違点２：
　本願発明は、さらに「ｂ）酸化防止剤」及び「ｃ）ヒアルロン酸」を含み、「該化粧料中に酸化防止剤が０．２重量％〜２．５重量％の濃度で存在する」と特定されているのに対し、引用発明はそのように特定されていない点
４　判断
（１）相違点１について
　引用例２の上記（２ｅ）に、５−アルファ−リダクターゼ阻害剤の例が記載されているところ、その１つとして「フィナステリド」が記載されている。したがって、引用発明の「５−アルファ−リダクターゼ阻害剤」として「フィナステリド」を選択することは当業者が容易になし得たことである。
　また、周知例ア〜ウ（上記１（３）〜（５））に記載されているように、ノコギリヤシ果実エキスが５−アルファ−リダクターゼ阻害剤であることは周知の事項であるから、引用発明において、「５−アルファ−リダクターゼ阻害剤」として「ノコギリヤシの果実（Ｓｅｒｅｎｏａ　ｒｅｐｅｎｓ，　ｓｙｎ．　Ｓａｂａｌ　ｓｅｒｒｕｌａｔａ）の抽出物」を選択することも当業者が容易になし得たことである。
（２）相違点２について
ア　引用発明は、化粧用組成物を局所適用することにより、エストロゲンの産出及び／又は効果とジヒドロテストステロンの産出及び／又は効果を同時に阻害して、皮膚のしわなどを化粧処置するか、皮膚に対する日光の暴露を改善することを目的とするものである。
　また、引用例２にアロマターゼ阻害剤が皮膚に吸収されることが好ましい旨記載されているとおり（上記（２ｈ））、化粧用組成物中のアロマターゼ阻害剤と５−アルファ−リダクターゼ阻害剤との組合せが皮膚に浸透して作用することが望ましいことは当業者に自明な事項である。
　そして、引用例３には、引用発明と同様に、エストロゲンの産出及び／又は作用を阻害するアロマターゼ阻害剤からなる局所適用するための化粧用組成物が記載されており、さらに経皮吸収促進剤が含有されている化粧用組成物が記載されている（上記（３ａ））。引用例３では、経皮吸収促進剤は公知のものを用い得ることが記載され、好適な例としてヒアルロン酸塩が示され（上記（３ｂ））、実施例３では、アロマターゼ阻害剤とともにヒアルロン酸を配合したクリーム剤を製造したことが示されている（上記（３ｄ））。
　ここで、周知例エ〜キ（上記１（６）（エ２）、（７）〜（９））のとおり、ヒアルロン酸の経皮吸収促進作用は角質層の保湿作用によるものであることが知られており、ヒアルロン酸及びヒアルロン酸塩が同等のものとして扱われることも当業者に周知の事項である。
イ　また、引用例２の上記（２ｇ）には、組成物に配合し得る典型的な添加物として、抗酸化剤が記載されており、同様に、引用例３の上記（３ｃ）にも、抗酸化剤を配合できることが記載されているように、化粧用組成物の典型的な添加物として抗酸化剤、すなわち酸化防止剤があることは周知の事項である。
ウ　そうしてみると、引用発明において、エストロゲンの産出及び／又は効果とジヒドロテストステロンの産出及び／又は効果を同時に阻害することを、より効果的に行うことを目的として、さらに経皮吸収促進剤であるヒアルロン酸を配合して化粧用組成物中のアロマターゼ阻害剤と５−アルファ−リダクターゼ阻害剤の経皮吸収を促進することや、化粧用組成物の周知の添加剤である酸化防止剤を配合することは、引用例２、３及び周知の事項に基づき当業者が容易になし得たことであり、化粧料組成物中の酸化防止剤の量を０．２〜２．５重量％程度とすることも格別なことではない。
（３）本願発明の効果について
ア　本願明細書には、本願発明を実施した実施例は記載されていない。すなわち、本願明細書記載の実施例１〜３は、いずれも活性成分として、アセトキシアンドロステンジオン（アロマターゼ阻害剤）、α−リポ酸（酸化防止剤）及びヒアルロン酸の３成分を配合したものであり、さらに、５−α−還元酵素阻害剤を配合したものは示されていない。
イ　請求人は、平成２８年１月４日付け手続補足書で、以下の試験結果１及び試験結果２を提出している。
＜試験結果１＞
　活性成分として以下の成分を含有する化粧品が、クモ状静脈に対して効果を奏したことが示されている。
１．０％アセトキシ−アンドロステンジオン（アロマターゼ阻害剤）
０．５％ノコギリヤシエキス（５−α−還元酵素阻害剤）
０．５％α−リポ酸（酸化防止剤）
０．５％ヒアルロン酸
＜試験結果２＞
　比較となるクリーム（比較品という）と、本願発明に該当する２つのクリーム（本願発明品１及び２という）を調製し、クモ状静脈、ストレッチマーク、セルライト、皮膚老化（皮膚の引き締めによって評価）についての効果を確認したところ、比較品に比べて本願発明品１及び２が、クモ状静脈、ストレッチマークについて比較的良好であり、セルライト、皮膚老化（皮膚の引き締めによって評価）について最良の結果を示した旨記載されている。
○比較品
１．０％アセトキシアンドロステンジオン（アロマターゼ阻害剤）
０．５％ヒアルロン酸
○本願発明品１
１．５％コマツナ（アロマターゼ阻害剤）
１．２％ノコギリヤシ果実エキス（５−α−還元酵素阻害剤）
１．０％カメリア・シネンシス抽出物（酸化防止剤）
０．５％ヒアルロン酸
○本願発明品２
１．０％アセトキシアンドロステンジオン（アロマターゼ阻害剤）
１．２％ノコギリヤシ果実エキス（５−α−還元酵素阻害剤）
０．５％α−リポ酸（酸化防止剤）
０．５％ヒアルロン酸
　上記試験結果１及び２によれば、本願発明に該当する、４つの活性成分を配合した皮膚用化粧料が、セルライト、ストレッチマーク、老化の兆候、しわ、及びクモ状静脈に効果を奏することが理解できるが、試験結果２を参照しても、アロマターゼ阻害剤と５−α−還元酵素阻害剤に加えて、酸化防止剤とヒアルロン酸を配合したことにより、格別な効果を奏するかどうかは不明である。
　すなわち、試験結果２の比較品は、アロマターゼ阻害剤とヒアルロン酸との組合せであって、アロマターゼ阻害剤と５−α−還元酵素阻害剤の組合せに、さらにヒアルロン酸及び酸化防止剤を加えたことによる効果は確認できない。しかも、本願発明品１及び２はいずれも、比較品と同量以上のアロマターゼ阻害剤を含むうえ、さらに５−α−還元酵素阻害剤をも含むものであるから、比較品より優れた効果が奏されるとしても、それは当業者の予測を超える効果であるとはいえない。
ウ　上記のとおり、実施例や試験結果からは、本願発明が引用発明から容易になし得たものに比べて優れた効果を奏するものか確認できないので、本願明細書の記載を参照すると、本願明細書には、次のように記載されている。
・「有害なラジカルによる効果が、酸化防止剤の作用によって、同時に低減され又は完全に避けられ、それにより、皮膚を新たな損傷からより良く保護することが提供される。」（【００１０】）
・「皮膚の外観の予想外の改善は、本発明による組成物の各単一成分の相乗的な協働により引き起こされると考えられる。アロマターゼ阻害剤及び／又は５−α−還元酵素阻害剤の作用によって、テストステロンからエストロゲンへの変換が局所的に減少し、又は妨げられる。・・・特に、ヒアルロン酸の同時使用は、アロマターゼ阻害剤と５−α−還元酵素阻害剤の吸収と酸化防止剤の吸収を改善し、これら活性成分を皮膚中に保持するので、これらの活性成分のそれぞれの効果を追加的に高めるため重要である。」（【００１１】）
・「前述したように、酸化防止剤は、フリーラジカルから保護し、その結果、皮膚の新しい損傷を軽減又は防止する。」（【００１２】）
・「本発明の酸化防止剤は、フリーラジカルを捕捉するか、又は細胞に及ぼす有害な影響を終了する“ラジカルスカベンジャー”である。」（【００１６】）
・「α−リポ酸は、細胞の脂質相と同様に水性相で活性である。この物質は、皮膚を介して非常によく再吸収される。これは、ヒアルロン酸と組み合わせた場合に特にそうである。」（【００２０】）
　これら、本願明細書の記載によれば、本願発明の「ａ１）アロマターゼ阻害剤」及び「ａ２）５−α−還元酵素阻害剤」は、テストステロンからエストロゲンへの変換を局所的に減少させるという効果を奏するものであり、「ｂ）酸化防止剤」は、フリーラジカルからの保護やラジカルスカベンジャーとして、酸化防止剤そのもののよく知られた効果を奏するものであり（周知例エ、上記１（６）（エ１））、「ｃ）ヒアルロン酸」は吸収を改善、促進する効果を奏するものであることが理解でき、これら４成分による相乗的な協働とあるのも、それぞれの成分の作用を発揮することと理解できるところに留まる。本願明細書の実施例及び手続補足書で示された試験結果からも４成分を併用したことによる相乗効果を確認することはできない。
　そうすると、引用発明も、アロマターゼ阻害剤と５−アルファ−リダクターゼ阻害剤との組合せがエストロゲンの産出及び／又は効果を阻害するものであるところ、酸化防止剤及び経皮吸収促進剤としてのヒアルロン酸を併用することによりもたらされる効果は、当業者が予測し得た範囲内のものであって、格別顕著なものということはできない。
（４）請求人の主張について
ア　請求人は、平成３０年３月２０日受付の意見書において、要するに次のように主張しているものと解される。
ａ　引用例２は、コラーゲン繊維の増加等によりこれらの皮膚外観の改善を図る発明であるのに対し、本願発明は皮膚中の微小循環の改善により皮膚外観の改善を図る発明である。
　したがって、引用例２及び３は、妊娠線やセルライト等は改善されるが、本願発明のようにクモ状静脈の改善などは記載されていない。引用例２と改善される皮膚外観において重複する外観もあるが、クモ状静脈の改善は本願発明だけである。
ｂ　引用例２は、フリーラジカルがエストラジオールを活性化するので、酸化防止剤によってフリーラジカルを不活性化することでエストロゲンの効果を阻害することの必要性を認識しておらず、酸化防止剤が、セルライト、ストレッチマーク、老化の兆候、しわ、及びクモ状静脈に関する皮膚の外観の改善に寄与するさらなる必須物質であることを開示していない。
　それに対し、本願発明は、アロマターゼ阻害剤、５−α−還元酵素阻害剤及びヒアルロン酸に加えて、酸化防止剤が必要であり、これらを組み合わせて用いることによって、エストロゲンが皮膚に及ぼす悪影響の可能性のある全ての発生源を除去し、皮膚の代謝を調和させ、皮膚外観を改善するものである。
イ　そこで上記主張ａ及びｂについて順に検討する。
ａ　本願明細書には、「理論によって本発明の範囲を限定するものではないが、本発明による効果は、皮膚の微小循環の改善に基づく。これは、皮膚の水結合が増加することをもたらすだけでなく、コラーゲン繊維の強化とその結果の滑らかな皮膚表面をもたらす。」（【００１０】）、「アロマターゼ阻害剤及び／又は５−α−還元酵素阻害剤の作用によって、テストステロンからエストロゲンへの変換が局所的に減少し、又は妨げられる。」（【００１１】）と記載されているように、本願発明もアロマターゼ阻害剤と５−α−還元酵素阻害剤によりエストロゲンの効果を阻害して、コラーゲン繊維の強化などをもたらすものであるといえるから、請求人の主張は採用し得ない。
　そして、本願発明は、クモ状静脈の改善用の皮膚用化粧料に特定されているものではないから、引用例２にクモ状静脈の改善用であることが記載されていなくても、新たな相違点とはならない。
　また、本願発明は「セルライト、ストレッチマーク、老化の兆候、しわ、及びクモ状静脈における化粧目的のために使用される皮膚用化粧料」と記載されているところ、これら全てを同時に改善することに限定されていると解されないことは、上記３（２）で既に述べたとおりである。
ｂ　引用発明にさらに酸化防止剤を配合することは、引用例２に酸化防止剤を配合できることが記載されていることや周知の事項から動機付けられることであって、引用例２、あるいは引用例３にフリーラジカルがエストラジオールを活性化するために、酸化防止剤を添加することについて記載されている必要はない。
　また、そもそも、上記（３）ウのとおり、本願明細書には、酸化防止剤についてフリーラジカルがエストラジオールを活性化することを防止するなどの技術事項について記載されているところはなく、請求人の主張は、本願明細書の記載に基づかないものであって採用できない。
５　まとめ
　よって、本願発明は引用例２〜３に記載された発明及び周知の事項に基づいて、当業者が容易になし得たものである。
第５　むすび
　以上のとおり、本願発明は、引用例２〜３に記載された発明及び周知の事項に基づいて、当業者が容易に発明をすることができたものであるから、特許法第２９条第２項の規定により特許を受けることができない。
　したがって、その他の請求項に係る発明についての判断を示すまでもなく、本願は拒絶すべきものである。
　よって、結論のとおり審決する。